(57)【特許請求の範囲】
【請求項１】
車両のダッシュボード内に配置され、照明装置で照明されたＬＣＤセルの表示画面に表示される車両用情報を、上記ダッシュボード外に配置された被投影部材上に投影させることにより、上記車両の前方視界中に上記車両用情報の虚像を結像させる車両用表示装置であって、
上記ＬＣＤセルの表示画面サイズを変更する表示画面サイズ変更手段と、
上記表示画面サイズ変更手段と連動して、上記照明装置の照明サイズを変更後の表示画面サイズに合うように変更する照明サイズ変更手段とを含み、
前記照明装置は、夜表示用の低輝度の光を発する第１の光源、該第１の光源からの光を反射させるリフレクタ、および前記ＬＣＤセルと平行に配置され、上記リフレクタからの反射光がエッジに入射されて前記ＬＣＤセルへ平面光を出射する導光板からなるバックライトユニットと、前記第１の光源の消灯時に点灯して通常表示用の高輝度の光を発し、上記導光板の一方の面に光を入射して反射する光を前記ＬＣＤセルへ出射させる第２の光源とを含み、
前記照明サイズ変更手段は、上記第２の光源の点灯時に、前記ＬＣＤセルに対して上記導光板を平行以外の角度に切り換えることにより上記照明サイズを夜表示用サイズより小さな通常表示用サイズにする導光板角度切換機構を含む
ことを特徴とする車両用表示装置。
【請求項２】
前記第２の光源は発散光を発することを特徴とする請求項１記載の車両用表示装置。
【請求項３】
前記導光板角度切換機構は、前記導光板の一部または全部を平行以外の角度に切り換えることを特徴とする請求項１記載の車両用表示装置。
【請求項４】
前記導光板角度切換機構は、一端が前記導光板の所定位置に固定され、他端に支持軸を備えた複数のステーと、前記導光板の両側に配置され、該複数のステーの各支持軸が遊嵌され、前記導光板を回動可能に支持するガイド溝を有する支持壁とを含むことを特徴とする請求項３記載の車両用表示装置。
【請求項５】
前記導光板の裏面に反射膜が施されていることを特徴とする請求項３記載の車両用表示装置。
【請求項６】
前記導光板の一面が凸または凹面になっていることを特徴とする請求項３記載の車両用表示装置。
【請求項７】
車両のダッシュボード内に配置され、照明装置で照明されたＬＣＤセルの表示画面に表示される車両用情報を、上記ダッシュボード外に配置された被投影部材上に投影させることにより、上記車両の前方視界中に上記車両用情報の虚像を結像させる車両用表示装置であって、
上記ＬＣＤセルの表示画面サイズを変更する表示画面サイズ変更手段と、
上記表示画面サイズ変更手段と連動して、上記照明装置の照明サイズを変更後の表示画面サイズに合うように変更する照明サイズ変更手段とを含み、
前記照明装置は、光源と、該光源からの光を反射させる第１のリフレクタと、前記第１のリフレクタと異なるサイズを有し、該光源からの光を反射させる第２のリフレクタとを含み、
前記照明サイズ変更手段は、上記第１のリフレクタまたは上記第２のリフレクタを上記光源に対して切り換え配置し、上記第１または第２のリフレクタから反射される光により前記ＬＣＤセルを異なる照明サイズで照明するリフレクタ切換機構を含む
ことを特徴とする車両用表示装置。
【請求項８】
前記リフレクタ切換機構は、上記第１または第２のリフレクタに固定されたラックと、該ラックに係合するピニオンと、該ピニオンを回転駆動する駆動手段とを含むことを特徴とする請求項７記載の車両用表示装置。
【請求項９】
車両のダッシュボード内に配置され、照明装置で照明されたＬＣＤセルの表示画面に表示される車両用情報を、上記ダッシュボード外に配置された被投影部材上に投影させることにより、上記車両の前方視界中に上記車両用情報の虚像を結像させる車両用表示装置であって、
上記ＬＣＤセルの表示画面サイズを変更する表示画面サイズ変更手段と、
上記表示画面サイズ変更手段と連動して、上記照明装置の照明サイズを変更後の表示画面サイズに合うように変更する照明サイズ変更手段とを含み、
前記照明装置は、第１の光源および該第１の光源からの光を前記ＬＣＤセルを照射する方向に反射させる第１のリフレクタからなり、前記ＬＣＤセルの一部を照明する第１の光源装置と、第２の光源および該第２の光源からの光を前記ＬＣＤセルを照射する方向に反射させる第２のリフレクタからなり、前記ＬＣＤセルの一部を照明する第２の光源装置とを含み、
前記照明サイズ変更手段は、上記第１および上記第２の光源装置の照射方向を可変して、上記第１および上記第２の光源装置によるそれぞれの前記ＬＣＤセルの照明領域を分離または重畳させる照射方向可変機構を含む
ことを特徴とする車両用表示装置。
【請求項１０】
前記照射方向可変機構は、前記第１の光源装置に取り付けられた第１のギヤと、前記第２の光源装置に取り付けられ、上記第１のギヤと同一歯数を有する第２のギヤと、上記第１のギヤと係合する第３のギヤと、上記第２のギヤおよび上記第３のギヤと係合し、上記第３のギヤと同一歯数を有する第４のギヤと、上記第３または上記第４のギヤを回転駆動する駆動手段とを含むことを特徴とする請求項９記載の車両用表示装置。
【請求項１１】
車両のダッシュボード内に配置され、照明装置で照明されたＬＣＤセルの表示画面に表示される車両用情報を、上記ダッシュボード外に配置された被投影部材上に投影させることにより、上記車両の前方視界中に上記車両用情報の虚像を結像させる車両用表示装置であって、
上記ＬＣＤセルの表示画面サイズを変更する表示画面サイズ変更手段と、
上記表示画面サイズ変更手段と連動して、上記照明装置の照明サイズを変更後の表示画面サイズに合うように変更する照明サイズ変更手段とを含み、
前記照明装置は、光源と、該光源からの光を前記ＬＣＤセルに反射させる凸面型リフレクタと、該光源からの光を前記ＬＣＤセルに反射させる凹面型リフレクタとを含み、
前記照明サイズ変更手段は、上記凸面型リフレクタまたは上記凹面型リフレクタを上記光源に対して切り換え配置し、上記凸面型リフレクタまたは上記凹面型リフレクタから反射される光により前記ＬＣＤセルを異なる照明サイズで照明するリフレクタ切換機構を含む
ことを特徴とする車両用表示装置。
【請求項１２】
前記リフレクタ切換機構は、一端に前記凸面型リフレクタが固定されかつ他端に前記凹面型リフレクタが固定されたステーと、該ステーの中間に回転軸が固定され、該ステーを駆動することにより前記凸面型リフレクタまたは上記凹面型リフレクタを回動させて前記光源と前記ＬＣＤセルの間に切り換え配置するモータとを含むことを特徴とする請求項１１記載の車両用表示装置。
【発明の詳細な説明】
【０００１】
【発明の属する技術分野】
本発明は、車両用表示装置に関し、特に、車両のダッシュボード内に配置され、照明装置で照明されたＬＣＤセルの表示画面に表示される車両用情報を、ダッシュボード外に配置されたウインドシールドやコンバイナ上に投影させることにより、車両の前方視界中に車両用情報の虚像を結像させる車両用表示装置に関する。
【０００２】
【従来の技術】
この種の車両用表示装置は、ヘッドアップディスプレイとも呼ばれており、たとえば実公平４−５４０２０号公報に開示されているように、運転に必要な補助情報等を車両の前方視界中に視認できるようにするものであり、運転中に大きな視線移動を行うことなく、補助情報等を認識できるという特徴と有している。
【０００３】
図２８は、上述の従来の車両用表示装置の外観図を示し、車両１のインストルメントパネル２ａ上方に位置するフロントガラス（ウインドシールド）２には、速度計の表示が虚像１０として形成されている。
【０００４】
図２９は、虚像１０を形成するための構造を示すもので、インストルメントパネル２ａ内には、凸レンズ５、ＬＣＤ（液晶ディスプレイ）セル３、光源６、ＬＣＤ駆動回路４等が配置されており、ＬＣＤセル３は凸レンズ５の焦点Ｆ内に位置し、このＬＣＤセル３に対し凸レンズ５と反対側にはハーフミラー１２を介して光源６が設けられている。
【０００５】
ＬＣＤセル３は、表示パターン用セル３ａと、ネガ・ポジ切換用セル３ｂと、偏光板３ｃとから構成され、車速センサ１３に接続されるＬＣＤ駆動回路４に結線されている。
【０００６】
光源６は、光源ケース１４内にハーフミラー１２によって分離収容された高輝度光源６ａと低輝度光源６ｂとからなり、共にハーフミラー１２によってＬＣＤセル３の下方より凸レンズ５側に入るようになっている。そして、ネガ・ポジ切換用セル３ｂとＬＣＤ駆動回路４の間にはネガ・ポジ切換スイッチ１５が設けられており、更に高輝度光源６ａと低輝度光源６ｂとの間には光源切替スイッチ１６が介在され、これらの切換スイッチ１５，１６は車両の車幅灯スイッチ１７と連動して切り換えられるようになっている。
【０００７】
上述の構成において、まず昼間においては、車速センサ１３の信号をＬＣＤ駆動回路４によりＬＣＤ駆動信号に変換し、ＬＣＤセル３に表示パターンＱを造る。この時の表示パターンＱは、運転者前方に表示されるパターンが図３０（Ａ）に示すようにネガ表示になるようにその背面に貼り付ける偏光板３ｃの偏光方向を選定しておく。この時、ＬＣＤのパターン表示と同時に高輝度光源６ａを点灯し、光源ケース１４で反射した光をハーフミラー１２で反射させ、ＬＣＤセル３の表示パターンＱを照明して凸レンズ５を介した後、フロントガラス２面上で反射させて運転者前方に、図３０（Ａ）に示すようにネガ表示像（虚像１０）を結像させる。
【０００８】
次に、夜間においては、車幅灯スイッチ１７がＯＮされ、光源切換スイッチ１６により光源６を低輝度光源６ｂに切り換え、これと同時にネガ・ポジ切換スイッチ１５がＯＮされ運転者前方の表示像１０は図３０（Ｂ）に示すごときポジ表示に切り換わる。尚この切り換えは運転者の判断によりなされる。
【０００９】
【発明が解決しようとする課題】
ところで、ヘッドアップディスプレイにおいては、昼夜同じ表示（通常表示）を提供する以外に、必要に応じて夜専用の表示に切り換えたい場合がある。夜専用表示内容としては、暗視カメラにて撮影した映像やそれを処理した映像等が考えられ、このような映像を表示する際には、表示サイズや表示輝度等の表示形態が通常（昼間）表示と異なる方が運転者にとって見易く都合が良い場合が考えられる。
【００１０】
しかしながら、上述の従来の車両用表示装置においては、運転者前方の表示像１０のサイズは、昼間でも夜間でも同じであり、必要に応じて表示形態を変更することができないという問題がある。
【００１１】
よって本発明は、上述した従来の問題点に鑑み、車両の前方視界中に表示される車両用情報の表示形態を変更できる車両用表示装置を提供することを目的としている。
【００１２】
【課題を解決するための手段】
上記課題を解決するためになされた請求項１記載の発明は、車両のダッシュボード内に配置され、照明装置で照明されたＬＣＤセルの表示画面に表示される車両用情報を、上記ダッシュボード外に配置された被投影部材上に投影させることにより、上記車両の前方視界中に上記車両用情報の虚像を結像させる車両用表示装置であって、上記ＬＣＤセルの表示画面サイズを変更する表示画面サイズ変更手段と、上記表示画面サイズ変更手段と連動して、上記照明装置の照明サイズを変更後の表示画面サイズに合うように変更する照明サイズ変更手段とを含み、前記照明装置は、夜表示用の低輝度の光を発する第１の光源、該第１の光源からの光を反射させるリフレクタ、および前記ＬＣＤセルと平行に配置され、上記リフレクタからの反射光がエッジに入射されて前記ＬＣＤセルへ平面光を出射する導光板からなるバックライトユニットと、前記第１の光源の消灯時に点灯して通常表示用の高輝度の光を発し、上記導光板の一方の面に光を入射して反射する光を前記ＬＣＤセルへ出射させる第２の光源とを含み、前記照明サイズ変更手段は、上記第２の光源の点灯時に、前記ＬＣＤセルに対して上記導光板を平行以外の角度に切り換えることにより上記照明サイズを夜表示用サイズより小さな通常表示用サイズにする導光板角度切換機構を含むことを特徴とする車両用表示装置に存する。
【００１３】
請求項１記載の発明によれば、車両用表示装置は、車両のダッシュボード内に配置され、照明装置で照明されたＬＣＤセルの表示画面に表示される車両用情報を、ダッシュボード外に配置された被投影部材上に投影させることにより、車両の前方視界中に車両用情報の虚像を結像させる車両用表示装置であって、ＬＣＤセルの表示画面サイズを変更する表示画面サイズ変更手段と、表示画面サイズ変更手段と連動して、照明装置の照明サイズを変更後の表示画面サイズに合うように変更する照明サイズ変更手段とを含み、照明装置は、夜表示用の低輝度の光を発する第１の光源、該第１の光源からの光を反射させるリフレクタ、およびＬＣＤセルと平行に配置され、リフレクタからの反射光がエッジに入射されてＬＣＤセルへ平面光を出射する導光板からなるバックライトユニットと、第１の光源の消灯時に点灯して通常表示用の高輝度の光を発し、導光板の一方の面に光を入射して反射する光をＬＣＤセルへ出射させる第２の光源とを含み、照明サイズ変更手段は、第２の光源の点灯時に、ＬＣＤセルに対して導光板を平行以外の角度に切り換えることにより上記照明サイズを夜表示用サイズより小さな通常表示用サイズにする導光板角度切換機構を含むので、昼間を含む通常表示時には、小さなサイズの表示像を高輝度で得ることができると共に、夜用表示時には、大きなサイズの表示像を低輝度で得ることができ、車両の前方視界中に表示される車両用情報の表示形態を変更することができる。
【００２１】
また、バックライトユニットの導光板を利用してＬＣＤセルの表示画面を照明する照明サイズを切り換えることができる。
【００２２】
上記課題を解決するためになされた請求項２記載の発明は、前記第２の光源は発散光を発することを特徴とする請求項１記載の車両用表示装置に存する。
【００２３】
請求項２記載の発明によれば、第２の光源は発散光を発するので、リフレクタを小型化することができる。
【００２４】
上記課題を解決するためになされた請求項３記載の発明は、前記導光板角度切換機構は、前記導光板の一部または全部を平行以外の角度に切り換えることを特徴とする請求項１記載の車両用表示装置に存する。
【００２５】
請求項３記載の発明によれば、導光板角度切換機構は、導光板の一部または全部を平行以外の角度に切り換えるので、導光板の一部または全部を利用して、照明サイズを変更することができる。
【００２６】
上記課題を解決するためになされた請求項４記載の発明は、前記導光板角度切換機構は、一端が前記導光板の所定位置に固定され、他端に支持軸を備えた複数のステーと、前記導光板の両側に配置され、該複数のステーの各支持軸が遊嵌され、前記導光板を回動可能に支持するガイド溝を有する支持壁とを含むことを特徴とする請求項３記載の車両用表示装置に存する。
【００２７】
請求項４記載の発明によれば、導光板角度切換機構は、一端が導光板の所定位置に固定され、他端に支持軸を備えた複数のステーと、導光板の両側に配置され、該複数のステーの各支持軸が遊嵌され、導光板を回動可能に支持するガイド溝を有する支持壁とを含むので、導光板の角度をスムーズに変更することができる。
【００２８】
上記課題を解決するためになされた請求項５記載の発明は、前記導光板の裏面に反射膜が施されていることを特徴とする請求項３記載の車両用表示装置に存する。
【００２９】
請求項５記載の発明によれば、導光板の裏面に反射膜が施されているので、導光板の裏面を反射面として利用することができる。
【００３０】
上記課題を解決するためになされた請求項６記載の発明は、前記導光板の一面が凸または凹面になっていることを特徴とする請求項３記載の車両用表示装置に存する。
【００３１】
請求項６記載の発明によれば、導光板の一面が凸または凹面になっているので、照明サイズの変更を助長することができる。
【００３２】
上記課題を解決するためになされた請求項７記載の発明は、車両のダッシュボード内に配置され、照明装置で照明されたＬＣＤセルの表示画面に表示される車両用情報を、上記ダッシュボード外に配置された被投影部材上に投影させることにより、上記車両の前方視界中に上記車両用情報の虚像を結像させる車両用表示装置であって、上記ＬＣＤセルの表示画面サイズを変更する表示画面サイズ変更手段と、上記表示画面サイズ変更手段と連動して、上記照明装置の照明サイズを変更後の表示画面サイズに合うように変更する照明サイズ変更手段とを含み、前記照明装置は、光源と、該光源からの光を反射させる第１のリフレクタと、前記第１のリフレクタと異なるサイズを有し、該光源からの光を反射させる第２のリフレクタとを含み、前記照明サイズ変更手段は、上記第１のリフレクタまたは上記第２のリフレクタを上記光源に対して切り換え配置し、上記第１または第２のリフレクタから反射される光により前記ＬＣＤセルを異なる照明サイズで照明するリフレクタ切換機構を含むことを特徴とする車両用表示装置に存する。
【００３３】
請求項７記載の発明によれば、車両のダッシュボード内に配置され、照明装置で照明されたＬＣＤセルの表示画面に表示される車両用情報を、ダッシュボード外に配置された被投影部材上に投影させることにより、車両の前方視界中に車両用情報の虚像を結像させる車両用表示装置であって、ＬＣＤセルの表示画面サイズを変更する表示画面サイズ変更手段と、表示画面サイズ変更手段と連動して、照明装置の照明サイズを変更後の表示画面サイズに合うように変更する照明サイズ変更手段とを含み、照明装置は、光源と、該光源からの光を反射させる第１のリフレクタと、第１のリフレクタと異なるサイズを有し、該光源からの光を反射させる第２のリフレクタとを含み、照明サイズ変更手段は、第１のリフレクタまたは第２のリフレクタを光源に対して切り換え配置し、第１または第２のリフレクタから反射される光によりＬＣＤセルを異なる照明サイズで照明するリフレクタ切換機構を含むので、１個の光源を利用してＬＣＤセルの表示画面を照明する照明サイズを切り換えることができる。
【００３４】
上記課題を解決するためになされた請求項８記載の発明は、前記リフレクタ切換機構は、上記第１または第２のリフレクタに固定されたラックと、該ラックに係合するピニオンと、該ピニオンを回転駆動する駆動手段とを含むことを特徴とする請求項７記載の車両用表示装置に存する。
【００３５】
請求項８記載の発明によれば、リフレクタ切換機構は、第１または第２のリフレクタに固定されたラックと、該ラックに係合するピニオンと、該ピニオンを回転駆動する駆動手段とを含むので、第１または第２のリフレクタを確実に切り換えることができる。
【００３６】
上記課題を解決するためになされた請求項９記載の発明は、車両のダッシュボード内に配置され、照明装置で照明されたＬＣＤセルの表示画面に表示される車両用情報を、上記ダッシュボード外に配置された被投影部材上に投影させることにより、上記車両の前方視界中に上記車両用情報の虚像を結像させる車両用表示装置であって、上記ＬＣＤセルの表示画面サイズを変更する表示画面サイズ変更手段と、上記表示画面サイズ変更手段と連動して、上記照明装置の照明サイズを変更後の表示画面サイズに合うように変更する照明サイズ変更手段とを含み、前記照明装置は、第１の光源および該第１光源からの光を前記ＬＣＤセルを照射する方向に反射させる第１のリフレクタからなり、前記ＬＣＤセルの一部を照明する第１の光源装置と、第２の光源および該第２光源からの光を前記ＬＣＤセルを照射する方向に反射させる第２のリフレクタからなり、前記ＬＣＤセルの一部を照明する第２の光源装置とを含み、前記照明サイズ変更手段は、上記第１および上記第２の光源装置の照射方向を可変して、上記第１および上記第２の光源装置によるそれぞれの前記ＬＣＤセルの照明領域を分離または重畳させる照射方向可変機構を含むことを特徴とする車両用表示装置に存する。
【００３７】
請求項９記載の発明によれば、車両のダッシュボード内に配置され、照明装置で照明されたＬＣＤセルの表示画面に表示される車両用情報を、ダッシュボード外に配置された被投影部材上に投影させることにより、車両の前方視界中に車両用情報の虚像を結像させる車両用表示装置であって、ＬＣＤセルの表示画面サイズを変更する表示画面サイズ変更手段と、表示画面サイズ変更手段と連動して、照明装置の照明サイズを変更後の表示画面サイズに合うように変更する照明サイズ変更手段とを含み、照明装置は、第１の光源および該第１光源からの光をＬＣＤセルを照射する方向に反射させる第１のリフレクタからなり、ＬＣＤセルの一部を照明する第１の光源装置と、第２の光源および該第２光源からの光をＬＣＤセルを照射する方向に反射させる第２のリフレクタからなり、ＬＣＤセルの一部を照明する第２の光源装置とを含み、照明サイズ変更手段は、第１および第２の光源装置の照射方向を可変して、第１および第２の光源装置によるそれぞれのＬＣＤセルの照明領域を分離または重畳させる照射方向可変機構を含むので、２つの光源装置からの光の分離または重畳を利用してＬＣＤセルの表示画面を照明する照明サイズを切り換えることができる。
【００３８】
上記課題を解決するためになされた請求項１０記載の発明は、前記照射方向可変機構は、前記第１の光源装置に取り付けられた第１のギヤと、前記第２の光源装置に取り付けられ、上記第１のギヤと同一歯数を有する第２のギヤと、上記第１のギヤと係合する第３のギヤと、上記第２のギヤおよび上記第３のギヤと係合し、上記第３のギヤと同一歯数を有する第４のギヤと、上記第３または上記第４のギヤを回転駆動する駆動手段とを含むことを特徴とする請求項９記載の車両用表示装置に存する。
【００３９】
請求項１０記載の発明によれば、照射方向可変機構は、第１の光源装置に取り付けられた第１のギヤと、第２の光源装置に取り付けられ、第１のギヤと同一歯数を有する第２のギヤと、第１のギヤと係合する第３のギヤと、第２のギヤおよび第３のギヤと係合し、第３のギヤと同一歯数を有する第４のギヤと、第３または第４のギヤを回転駆動する駆動手段とを含むので、２つの光源装置からの光の照射方向を分離または重畳するように確実に切り換えることができる。
【００４４】
上記課題を解決するためになされた請求項１１記載の発明は、車両のダッシュボード内に配置され、照明装置で照明されたＬＣＤセルの表示画面に表示される車両用情報を、上記ダッシュボード外に配置された被投影部材上に投影させることにより、上記車両の前方視界中に上記車両用情報の虚像を結像させる車両用表示装置であって、上記ＬＣＤセルの表示画面サイズを変更する表示画面サイズ変更手段と、上記表示画面サイズ変更手段と連動して、上記照明装置の照明サイズを変更後の表示画面サイズに合うように変更する照明サイズ変更手段とを含み、前記照明装置は、光源と、該光源からの光を前記ＬＣＤセルに反射させる凸面型リフレクタと、該光源からの光を前記ＬＣＤセルに反射させる凹面型リフレクタとを含み、前記照明サイズ変更手段は、上記凸面型リフレクタまたは上記凹面型リフレクタを上記光源に対して切り換え配置し、上記凸面型リフレクタまたは上記凹面型リフレクタから反射される光により前記ＬＣＤセルを異なる照明サイズで照明するリフレクタ切換機構を含むことを特徴とする車両用表示装置に存する。
【００４５】
請求項１１記載の発明によれば、車両のダッシュボード内に配置され、照明装置で照明されたＬＣＤセルの表示画面に表示される車両用情報を、ダッシュボード外に配置された被投影部材上に投影させることにより、車両の前方視界中に上記車両用情報の虚像を結像させる車両用表示装置であって、ＬＣＤセルの表示画面サイズを変更する表示画面サイズ変更手段と、表示画面サイズ変更手段と連動して、照明装置の照明サイズを変更後の表示画面サイズに合うように変更する照明サイズ変更手段とを含み、照明装置は、光源と、該光源からの光を前記ＬＣＤセルに反射させる凸面型リフレクタと、該光源からの光をＬＣＤセルに反射させる凹面型リフレクタとを含み、照明サイズ変更手段は、凸面型リフレクタまたは凹面型リフレクタを光源に対して切り換え配置し、凸面型リフレクタまたは凹面型リフレクタから反射される光によりＬＣＤセルを異なる照明サイズで照明するリフレクタ切換機構を含むので、１個の光源を利用してＬＣＤセルの表示画面を照明する照明サイズを切り換えることができる。
【００４６】
上記課題を解決するためになされた請求項１２記載の発明は、前記リフレクタ切換機構は、一端に前記凸面型リフレクタが固定されかつ他端に前記凹面型リフレクタが固定されたステーと、該ステーの中間に回転軸が固定され、該ステーを駆動することにより前記凸面型リフレクタまたは上記凹面型リフレクタを回動させて前記光源と前記ＬＣＤセルの間に切り換え配置するモータとを含むことを特徴とする請求項１１記載の車両用表示装置に存する。
【００４７】
請求項１２記載の発明によれば、リフレクタ切換機構は、一端に凸面型リフレクタが固定されかつ他端に凹面型リフレクタが固定されたステーと、該ステーの中間に回転軸が固定され、該ステーを駆動することにより凸面型リフレクタまたは凹面型リフレクタを回動させて光源とＬＣＤセルの間に切り換え配置するモータとを含むので、凸面型リフレクタまたは凹面型リフレクタを確実に切り換えることができる。
【００４８】
【発明の実施の形態】
以下、本発明の実施の形態を図面に基づいて説明する。図１は、本発明による車両用表示装置の実施の形態を示す概略構成図である。図１において、車両用表示装置は、車両のダッシュボード（図示しない）内に、凸レンズ５、ＬＣＤ（液晶ディスプレイ）セル３、ＬＣＤ駆動回路４および照明装置２０が配置されており、ＬＣＤセル３は凸レンズ５の焦点Ｆ内に位置し、このＬＣＤセル３に対し凸レンズ５と反対側には照明装置２０が設けられている。
【００４９】
ＬＣＤセル３は、表示パターン用セル３ａと、後述する照明装置２０からの光を効率よく表示パターン用セル３ａに向かわせると共に、輝度ムラ対策のための拡散板として働く光制御板３ｄとから構成され、表示画面サイズ変更手段の一部として機能するＬＣＤ駆動回路４に結線されている。また、ＬＣＤ駆動回路４は、表示画面サイズ変更手段の一部として機能する表示画面サイズ変更スイッチ４ａが接続されている。
【００５０】
照明装置２０は、光制御板３ｄを介してＬＣＤセル３をバックライティングするものであり、表示画面サイズ変更スイッチ４ａと連動し、照明装置２０の照明サイズを変更する照明サイズ切換信号を照明装置２０に供給する照明サイズ変更スイッチ２０ａが接続されている。
【００５１】
上述の構成において、昼間においては、表示画面サイズ変更スイッチ４ａおよび照明サイズ変更スイッチ２０ａはオフとされ、ＬＣＤ駆動回路４はＬＣＤセル３の画面サイズを通常表示用のサイズとなるように駆動し、照明装置２０は、ＬＣＤセル３の通常表示用の画面サイズに合わせた通常表示用の照明サイズおよび高輝度の光を光制御板３ｄを介してＬＣＤセル３に照射する。
【００５２】
一方、夜間において、表示画面サイズ変更スイッチ４ａおよび照明サイズ変更スイッチ２０ａがオンとされると、表示画面サイズ変更スイッチ４ａより表示画面サイズ切換信号がＬＣＤ駆動回路４に供給され、ＬＣＤ駆動回路４は、ＬＣＤセル３の表示画面サイズを通常表示用の画面サイズより大きな夜表示用の画面サイズになるように駆動する。また、照明サイズ変更スイッチ２０ａより照明サイズ切換信号が照明装置２０に供給され、照明装置２０は、ＬＣＤセル３の夜用の画面サイズに合わせた夜表示用の照明サイズおよび低輝度の光を光制御板３ｄを介してＬＣＤセル３に照射する。
【００５３】
図２は、図１の車両用表示装置による表示例を説明する外観図を示し、車両１のダッシュボード上方に位置する被投影部材としてのウインドシールド２には、ＬＣＤセル３の画面サイズの切り換えに応じて、表示サイズの小さい通常表示３Ａまたは通常表示３Ａより大きい夜用表示３Ｂが虚像１０として形成される。
【００５４】
昼用表示３Ａは、図３（Ａ）に示すように、たとえば車両の速度表示であり、昼間の外光（太陽光、または太陽光による路面もしくは雪面などからの反射光）を背景輝度としてもその表示が確認できる程度の高い表示輝度が要求される。
【００５５】
一方、夜用表示３Ｂは、図３（Ａ）に示す昼用表示を表示サイズを変えずに減光して（すなわち、昼用表示より表示輝度を低くして）表示しても良いし、図３（Ｂ）に示すように、たとえば暗視カメラによるバックモニタ画像等の表示内容によっては昼用表示３Ａより表示サイズの大きい大型表示とすることができる。
【００５６】
照明装置２０は具体的には以下のように構成される。
【００５７】
図４から図１３は、照明装置２０の第１の構成例を示す図である。図４において、照明装置２０は、第１の光源として低輝度の光を発する棒状光源（冷陰極管やキセノン管等の白色光源）２０１ａ、棒状光源２０１ａからの光源からの光を反射させるリフレクタ２０１ｂ、およびＬＣＤセル３と平行に配置され、リフレクタ２０１ｂからの反射光がそのエッジに入射されてＬＣＤセル３へ平面光を出射する導光板２０１ｃからなるバックライトユニット２０１と、導光板２０１ｃの一方の面に光を入射して反射する光をＬＣＤセル３へ出射させる、第２の光源として高輝度の平行光を発するランプ２０２とを含む。ランプ２０２は昼間を含む通常表示用の光源として働き、バックライトユニット２０１は、主として夜表示用の光源として働くが、導光板２０１ｃの一部２０１ｃ１は、後述するように通常表示時にランプ２０２からの平行光を反射する反射板としても兼用される。
【００５８】
導光板２０１ｃの一部２０１ｃ１は、一端が導光板２０１ｃの一部２０１ｃ１の所定位置に固定され、他端に支持軸２０３ａを備えた複数のステー２０３と、導光板２０１ｃの両側に配置され、複数のステー２０３の各支持軸２０３ａが遊嵌され、導光板２０１ｃの一部２０１ｃ１を回動可能に支持するガイド溝２０４ａを有する支持壁２０４とを含む、照明サイズ変更手段の一部としての導光板角度切換機構により、ＬＣＤセル３に対して平行以外の角度になるようにその位置を切り換えることができる。
【００５９】
なお、図５は、図４において、ステー２０３の配置を分かりやすくするために支持壁２０４を省略した図である。
【００６０】
上述の構成において、昼間においては、棒状光源２０１ａを消灯しかつランプ２０２を点灯させると共に、図６に示すように、照明サイズ変更スイッチ２０ａのオフに基づき駆動される導光板角度切換機構により、導光板２０１ｃの一部２０１ｃ１を時計回りに回動させてＬＣＤセル３に対して平行以外の所定角度になるようにその位置を切り換える。それにより、ランプ２０２からの高輝度の平行光は、回動された導光板２０１ｃの一部２０１ｃ１が反射板として利用されてその表面および裏面から反射され、表示画面サイズ変更スイッチ４ａのオフに基づき通常表示用の画面サイズとなっているＬＣＤセル３に、光制御板３ｄを介してその画面サイズに合わせた照明サイズとなって照射される。
【００６１】
一方、夜間においては、棒状光源２０１ａを点灯しかつランプ２０２を消灯させると共に、図４に示すように、照明サイズ変更スイッチ２０ａのオンに基づき駆動される導光板角度切換機構により、導光板２０１ｃの全体がＬＣＤセル３に対して平行な角度になるようにその位置を切り換える。それにより、棒状光源２０１ａからの低輝度の光は、導光板２０１ｃ全体を介して平面光となり、表示画面サイズ変更スイッチ４ａのオンに基づき夜表示用の画面サイズとなっているＬＣＤセル３に、光制御板３ｄを介してその画面サイズに合わせた大きな照明サイズとなって照射される。
【００６２】
なお、図７に示すように、ランプ２０２から発する光は、ランプに取り付けられるリフレクタ（図示しない）により、上述の平行光ではなく次第に広がる拡散光としても良い。この場合には、リフレクタを小型化することができる。
【００６３】
また、図８に示すように、通常表示の場合のＬＣＤセル３の表示画面サイズが図６に示す例よりさらに小さい場合は、導光板２０１ｃを回動して反射板として利用する面積を上述の一部２０１ｃ１よりさらに小さくした部分２０１ｃ２（図４，５参照）としても良い。この場合には、ランプ２０２（およびリフレクタ）をさらに小型化することができ、ランプ２０２は、たとえば図８（Ａ）に示すように導光板２０１ｃの下方に配置したり、たとえば図８（Ｂ）に示すように導光板２０１ｃの上方に配置したりすることができる。
【００６４】
次に図９は、図４の照明装置２０のさらなる変形例であり、ここでは、導光板２０１ｃの裏面（ＬＣＤセル３に対向する面と反対側の面）に反射膜処理が施され、導光板２０１ｃの一部２０１ｃ１が、ＬＣＤセル３に対して平行な位置から反時計回りに回動できるように変形された、複数のステー２０３と、ガイド溝２０４ａを有する支持壁２０４とを含む導光板角度切換機構により支持されている。
【００６５】
なお、図１０は、図９において、ステー２０３の配置を分かりやすくするために支持壁２０４を省略した図である。
【００６６】
上述の構成において、昼間においては、棒状光源２０１ａを消灯しかつランプ２０２を点灯させると共に、図１１に示すように、照明サイズ変更スイッチ２０ａのオフに基づき駆動される導光板角度切換機構により、導光板２０１ｃの一部２０１ｃ１を反時計回りに回動させてＬＣＤセル３に対して平行以外の所定角度になるようにその位置を切り換える。それにより、ランプ２０２からの高輝度の平行光は、回動された導光板２０１ｃの一部２０１ｃ１の裏面の反射膜で反射され、表示画面サイズ変更スイッチ４ａのオフに基づき通常表示用の画面サイズとなっているＬＣＤセル３に、光制御板３ｄを介してその画面サイズに合わせた照明サイズとなって照射される。
【００６７】
一方、夜間においては、棒状光源２０１ａを点灯しかつランプ２０２を消灯させると共に、図９に示すように、照明サイズ変更スイッチ２０ａのオンに基づき駆動される導光板角度切換機構により、導光板２０１ｃの全体がＬＣＤセル３に対して平行な角度になるようにその位置を切り換える。それにより、棒状光源２０１ａからの低輝度の光は、導光板２０１ｃ全体を介して平面光となり、表示画面サイズ変更スイッチ４ａのオンに基づき夜表示用の画面サイズとなっているＬＣＤセル３に、光制御板３ｄを介してその画面サイズに合わせた大きな照明サイズとなって照射される。
【００６８】
なお、図１２に示すように、ランプ２０２から発する光は、ランプに取り付けられるリフレクタ（図示しない）により、上述の平行光ではなく次第に広がる拡散光としても良い。この場合には、リフレクタを小型化することができる。
【００６９】
また、図１３に示すように、平行光を発するランプ２０２をさらに小型化し、導光板の裏面を凸面２０１ｃ３形状とし、ランプ２０２からの平行光を凸面２０１ｃ３で広げて拡散光としてＬＣＤセル３を照射するように構成しても良い。
【００７０】
次に図１４から図１７は、照明装置２０の第２の構成例を示す図である。図１４において、照明装置２０は、光源としてのランプ２１１と、ランプ２１１から所定距離だけ離れて設置され、ランプ２１１からの光を反射させる円弧状凹面型の第１のリフレクタ２１２と、第１のリフレクタ２１２より大きなサイズを有し、第１のリフレクタ２１２よりランプ２１１からさらに遠い位置に配置され、ランプ２１１からの光を反射させる円弧状凹面型の第２のリフレクタ２１３とを含む。
【００７１】
図１５に示すように、ランプ２１１は、第１のリフレクタ２１２（および図示しないが第２のリフレクタ２１３）の焦点Ｆ（または焦点Ｆ付近）に設置することにより、ランプ２１１から発する光を平行光となるように反射することができる。なお、必要により、より高い輝度を得たい場合は、ランプ２１１を焦点Ｆより第１のリフレクタ２１２から離れた位置に設置し、より広い照射面積を得たい場合は、ランプ２１１を焦点Ｆより第１のリフレクタ２１２に近い位置に設置する。
【００７２】
図１６に示すように、第１のリフレクタ２１２は、リフレクタ切換機構に取り付けられている。リフレクタ切換機構は、第１のリフレクタ２１２の端部に固定されたラック２１４と、ラック２１４に係合するピニオン２１５と、ピニオン２１５を駆動するためのモータ２１６およびギヤ伝達部２１７からなる駆動手段とを含む。
【００７３】
リフレクタ切換機構は、図１６（Ａ）に示すように、第１のリフレクタ２１２をランプ２１１の光を反射させる位置に設置し、また、図１６（Ｂ）に示すように、モータ２１６の回転駆動によりギヤ伝達部２１７、ピニオン２１５およびラック２１４を介して第１のリフレクタ２１２をランプ２１１の光を反射する位置から外し、第１のリフレクタ２１２に代わってランプ２１１の光を第２のリフレクタ２１３で反射させるように機能する。
【００７４】
上述の構成において、昼間においては、図１７に示すように、照明サイズ変更スイッチ２０ａのオフに基づき駆動されるリフレクタ切換機構切換機構により、第１のリフレクタ２１２をランプ２１１の光を反射させる位置に設置する。それにより、第１のリフレクタ２１２で反射されたランプ２１１からの高輝度の光は、表示画面サイズ変更スイッチ４ａのオフに基づき通常表示用の小さい画面サイズとなっているＬＣＤセル３に、その画面サイズに合わせた照明サイズとなって照射される。
【００７５】
一方、夜間においては、図１７（Ａ）に示す画面サイズおよび照明サイズのまま、ランプ２１１へ印加される電圧を減光スイッチ（図示しない）の操作で低下させることにより、ＬＣＤセル３の表示輝度を落とすことができる。
【００７６】
さらに、夜間においては、図１７（Ｂ）に示すように、照明サイズ変更スイッチ２０ａのオンに基づき駆動されるリフレクタ切換機構により、第１のリフレクタ２１２をランプ２１１の光を反射する位置から外し、ランプ２１１の光を第２のリフレクタ２１３で反射させる。それにより、第２のリフレクタ２１３が第１のリフレクタ２１２よりランプ２１１から遠い位置にあるため、第２のリフレクタ２１３で反射されたランプ２１１からの光は、図１７（Ａ）の場合より低輝度となり、表示画面サイズ変更スイッチ４ａのオンに基づき夜表示用の画面サイズとなっているＬＣＤセル３に、その画面サイズに合わせた大きな照明サイズとなって照射される。
【００７７】
次に図１８から図２０は、照明装置２０の第３の構成例を示す図である。図１８において、照明装置２０は、第１の光源としてのランプ２２２およびランプ２２２に固定されランプ２２２からの光を反射させる球面状凹面型の第１のリフレクタ２２３からなり、ＬＣＤセル３の半分を照明する第１の光源装置２２１と、第２の光源としてのランプ２２５およびランプ２２５に固定されランプ２２５からの光を反射させる球面状凹面型の第２のリフレクタ２２６からなり、ＬＣＤセル３の残りの半分を照明する第２の光源装置２２４とを含む。
【００７８】
図１９に示すように、ランプ２２２（およびランプ２２５）は、第１のリフレクタ２２３（および第２のリフレクタ２２６）の焦点Ｆ（または焦点Ｆ付近）に設置することにより、ランプ２２２（およびランプ２２５）から発する光を平行光となるように反射することができる。なお、必要により、より高い輝度を得たい場合は、ランプ２２２（およびランプ２２５）を焦点Ｆより第１のリフレクタ２２３（および第２のリフレクタ２２６）から離れた位置に設置し、より広い照射面積を得たい場合は、ランプ２２２（およびランプ２２５）を焦点Ｆより第１のリフレクタ２２３（および第２のリフレクタ２２６）に近い位置に設置する。
【００７９】
図２０に示すように、第１の光源装置２２１および第２の光源装置２２４は、照射方向可変機構に取り付けられている。照射方向可変機構は、第１のリフレクタ２２３の所定位置に回転可能に取り付けられた第１のギヤ２２７と、第２のリフレクタ２２６所定位置に回転可能に取り付けられ、第１のギヤ２２７と同一歯数を有する第２のギヤ２２８と、第１のギヤ２２７と係合する第３のギヤ２２９と、第２のギヤ２２８および第３のギヤと係合し、第３のギヤ２２９と同一歯数を有する第４のギヤ２３０と、第３のギヤ２２９を回転駆動する駆動手段としてのモータ２３１とを含む。
【００８０】
照射方向可変機構は、モータ２３１の回転駆動により、図２０（Ａ）に示すように、第１の光源装置２２１からの光の照射方向と、第２の光源装置２２４からの光の照射方向が平行になるように調整したり、図２０（Ｂ）に示すように、第１の光源装置２２１からの光の照射方向と、第２の光源装置２２４からの光の照射方向が交わるように調整したりすることができる。
【００８１】
上述の構成において、夜間においては、図１８（Ａ）に示すように、照明サイズ変更スイッチ２０ａのオンに基づき駆動される照射方向可変機構により、第１の光源装置２２１および第２の光源装置２２４は、両者の光の照射方向が平行になるように調整され、それにより、第１の光源装置２２１はＬＣＤセル３の表示画面の半分の領域を照射し、第２の光源装置２２４はＬＣＤセル３の表示画面の残りの半分の領域を照射するように、それぞれの照明領域が分離され、表示画面サイズ変更スイッチ４ａのオンに基づき夜表示用の大きな画面サイズとなっているＬＣＤセル３の表示画面の全体領域が低輝度で照明される。
【００８２】
一方、昼間においては、図１８（Ｂ）に示すように、照明サイズ変更スイッチ２０ａのオフに基づき駆動される照射方向可変機構により、第１の光源装置２２１および第２の光源装置２２４は、両者の光の照射方向が重畳するように調整され、それにより、表示画面サイズ変更スイッチ４ａのオフに基づき通常表示用の小さい画面サイズとなっているＬＣＤセル３の表示画面の領域が、高輝度に照明される。
【００８３】
次に図２１から図２５は、照明装置２０の第４の構成例を示す図である。図２１において、照明装置２０は、光源としてのランプ２４１およびランプ２４１から所定距離だけ離れて設置され、ランプ２４１からの光をＬＣＤセル３の方向に反射させる球面状の凹面型リフレクタ２４２を含む。
【００８４】
照明装置２０において、図２１（Ａ）に示すように、ランプ２４１は、凹面型リフレクタ２４２の焦点Ｆに設置することにより、ランプ２４１から発する光を平行光となるように反射させて、ＬＣＤセル３の表示画面に照射することができる。
【００８５】
また、図２１（Ｂ）に示すように、ランプ２４１を、焦点Ｆより凹面型リフレクタ２４２から離れた位置、すなわちＬＣＤセル３側に近い位置に移動させると、ランプ２４１から発する光によるＬＣＤセル３の照射領域が狭まると共に、図２１（Ａ）の場合により高い輝度でＬＣＤセル３を照射することができる。
【００８６】
さらに、図２１（Ｃ）に示すように、ランプ２４１を、焦点Ｆより凹面型リフレクタ２４２に近づいた位置に移動させると、ランプ２４１から発する光によるＬＣＤセル３の照射領域が広がると共に、図２１（Ａ）の場合により低い輝度でＬＣＤセル３を照射することができる。
【００８７】
そこで、図２２に示すように、凹面型リフレクタ２４２を、支柱２４４および基台２４５からなる支持装置２４３で固定し、ランプ２４１を相対位置可変機構（図示しない）に取り付け、この相対位置可変機構によりランプ２４１の配置を、図２２（Ａ）に示すように凹面型リフレクタ２４２の焦点Ｆより凹面型リフレクタ２４２から離れる位置に移動させたり（図２１（Ｂ）に対応）、または図２２（Ｂ）に示すように、凹面型リフレクタ２４２の焦点Ｆより凹面型リフレクタ２４２に近い位置に移動させたり（図２１（Ｃ）に対応）することができる。
【００８８】
そして、ランプ２４１と凹面型リフレクタ２４２の相対位置が、図２１（Ｂ）および図２２（Ａ）に示す関係にある場合には、ＬＣＤセル３の表示画面サイズを昼間を含む通常表示時の小さなサイズとし、同様に、図２１（Ｃ）および図２２（Ｂ）に示す関係にある場合には、ＬＣＤセル３の表示画面サイズを夜表示時の大きなサイズにすることにより、通常表示時には、ＬＣＤセル３の小さい画面サイズに合わせた小さい照射領域の高輝度の照明が行われ、夜表示時には、ＬＣＤセル３の大きな画面サイズに合わせた大きな照射領域の低輝度の照明が行われる。
【００８９】
なお、図２３に示すように、ランプ２４１を凹面型リフレクタ２４２の焦点位置Ｆに固定し、ランプ２４１とＬＣＤセル３の間にレンズを設置しても良い。
図２３（Ａ）は、ランプ２４１とＬＣＤセル３の間に凸レンズ２４６を設置した例であり、この場合には、ランプ２４１から発して凹面型リフレクタ２４２で反射された光は、凸レンズ２４６で集光されてＬＣＤセル３の小さい画面領域を高輝度で照明することになり、昼間を含む通常表示に好適である。
【００９０】
図２３（Ｂ）は、ランプ２４１とＬＣＤセル３の間に凹レンズ２４７を設置した例であり、この場合には、ランプ２４１から発して凹面型リフレクタ２４２で反射された光は、凹レンズ２４７で拡散されてＬＣＤセル３の大きい画面領域を低輝度で照明することになり、夜表示に好適である。
【００９１】
図２４は、ランプ２４１とＬＣＤセル３の間にレンズ２４６（または２４７）を設置した場合の概略斜視図を示す。
【００９２】
また、図２５は、ランプ２４１とＬＣＤセル３の間にレンズ２４６（または２４７）を設置したり外したりする場合の概略斜視図を示す。
【００９３】
次に図２６から図２７は、照明装置２０の第５の構成例を示す図である。図２６において、照明装置２０は、光源としてのランプ２５１と、ランプ２５１からの光を反射させる円弧状の凸面型リフレクタ２５２と、ランプ２５１からの光を反射させる円弧状の凹面型リフレクタ２５３とを含む。
【００９４】
凸面型リフレクタ２５２と凹面型リフレクタ２５３は、一端に凸面型リフレクタ２５２が固定されかつ他端に凹面型リフレクタ２５３が固定されたステー２５４と、ステー２５４の中間に回転軸２５５ａが固定されたモータ２５５とを含むリフレクタ切換機構に取り付けられている。
【００９５】
図２６（Ａ）に示すように、リフレクタ切換機構におけるモータ２５５の回転駆動により、凸面型リフレクタ２５２がランプ２５１からの光を反射させる位置に設置されると、ランプ２５１からの光は、凸面型リフレクタ２５２で拡散され、ＬＣＤセル３を大きな照射面積かつ低輝度で照明する。
【００９６】
また、図２６（Ｂ）に示すように、リフレクタ切換機構におけるモータ２５５の回転駆動により、凸面型リフレクタ２５２に換えて凹面型リフレクタ２５３がランプ２５１からの光を反射させる位置に設置されると、ランプ２５１からの光は、凹面型リフレクタ２５３で集光され、ＬＣＤセル３を小さな照射面積かつ高輝度で照明する。
【００９７】
なお、図２７（Ａ）および（Ｂ）は、それぞれ、図２６（Ａ）および（Ｂ）に対応する概略斜視図である。
【００９８】
上述の構成においては、夜間においては、図２６（Ａ）および図２７（Ａ）に示すように、照明サイズ変更スイッチ２０ａのオンに基づき駆動されるリフレクタ切換機構により、凸面型リフレクタ２５２が選択される。それにより、ランプ２５１および凸面型リフレクタ２５２を介する光は、表示画面サイズ変更スイッチ４ａのオンに基づき夜表示用の大きな画面サイズとなっているＬＣＤセル３の表示画面の全体領域を低輝度で照明する。
【００９９】
一方、昼間においては、図２６（Ｂ）および図２７（Ｂ）に示すように、照明サイズ変更スイッチ２０ａのオフに基づき駆動されるリフレクタ切換機構により、凹面型リフレクタ２５３が選択される。それにより、ランプ２５１および凹面型リフレクタ２５３を介する光は、表示画面サイズ変更スイッチ４ａのオフに基づき通常表示用の小さい画面サイズとなっているＬＣＤセル３の表示画面の領域を高輝度で照明する。
【０１００】
以上の通り、本発明の実施の形態について説明したが、本発明はこれに限らず、種々の変形、応用が可能である。
【０１０１】
たとえば、図１では、ＬＣＤセル３からの表示像をウインドシールド２上に投影しているが、これに代えてダッシュボード上に設置したコンバイナ上に投影しても良い。
【０１０２】
また、図１では、表示画面サイズ変更スイッチ４ａと照明サイズ変更スイッチ２０ａが連動するように構成されているが、この両方のスイッチが車幅灯スイッチと連動してオンオフするように構成しても良い。すなわち、車幅灯スイッチがオフの時には、それと連動して表示画面サイズ変更スイッチ４ａと照明サイズ変更スイッチ２０ａもオフとし、車幅灯スイッチがオンの時には、それと連動して表示画面サイズ変更スイッチ４ａと照明サイズ変更スイッチ２０ａもオンとなるように構成することができる。また、他の実施例として、表示画面サイズ変更スイッチ４ａと照明サイズ変更スイッチ２０ａが、日照センサー（例：前照灯（ヘッドライト）スイッチをオートにしておくと、ダッシュボード上に設置された日照センサーからの信号により、前照灯のオン／オフを制御する）からの信号により、オン／オフ切り換えするように構成しても良い。さらに他の実施例として、車幅灯スイッチと日照センサーを組み合わせて、表示画面サイズ変更スイッチ４ａと照明サイズ変更スイッチ２０ａのオン／オフを制御するように構成しても良い。
【０１０３】
また、図４に示す例では、導光板２０１ｃの一部２０１ｃ１の角度を変更しているが、導光板２０１ｃの全部の角度を変更するように構成しても良い。
【０１０４】
また、図１３に示す例では、導光板２０１ｃの裏面を凸面２０１ｃ３形状としているが、これに代えて凹面形状としても良い。
【０１０５】
また、図１６の例では、第１のリフレクタ２１２は、ラック２１４と、ピニオン２１５と、モータ２１６およびギヤ伝達部２１７からなる駆動手段とを含むリフレクタ切換機構に取り付けられ、第２のリフレクタ２１３は固定されているが、これに代えて、第２のリフレクタ２１３にも、上述と同様の構成のリフレクタ切換機構を取り付け、第１のリフレクタ２１２および第２のリフレクタ２１３を、交互に入れ替えてランプ２１１の光をＬＣＤセル３へ反射させる位置に設置するように構成しても良い。
【０１０６】
さらに、図２０の例では、駆動手段としてのモータ２３１が、第３のギヤ２２９を回転駆動しているが、これに代えて第４のギヤ２３０を回転駆動するように構成しても良い。
【０１０７】
【発明の効果】
請求項１記載の発明によれば、昼間を含む通常表示時には、小さなサイズの表示像を高輝度で得ることができると共に、夜用表示時には、大きなサイズの表示像を低輝度で得ることができ、車両の前方視界中に表示される車両用情報の表示形態を変更することができる。
【０１１１】
また、バックライトユニットの導光板を利用してＬＣＤセルの表示画面を照明する照明サイズを切り換えることができる。
【０１１２】
請求項２記載の発明によれば、リフレクタを小型化することができる。
【０１１３】
請求項３記載の発明によれば、導光板の一部または全部を利用して、照明サイズを変更することができる。
【０１１４】
請求項４記載の発明によれば、導光板の角度をスムースに変更することができる。
【０１１５】
請求項５記載の発明によれば、導光板の裏面を反射面として利用することができる。
【０１１６】
請求項６記載の発明によれば、照明サイズの変更を助長することができる。
【０１１７】
請求項７記載の発明によれば、１個の光源を利用してＬＣＤセルの表示画面を照明する照明サイズを切り換えることができる。
【０１１８】
請求項８記載の発明によれば、第１または第２のリフレクタを確実に切り換えることができる。
【０１１９】
請求項９記載の発明によれば、２つの光源装置からの光の分離または重畳を利用してＬＣＤセルの表示画面を照明する照明サイズを切り換えることができる。
【０１２０】
請求項１０記載の発明によれば、２つの光源装置からの光の照射方向を分離または重畳するように確実に切り換えることができる。
【０１２３】
請求項１１記載の発明によれば、１個の光源を利用してＬＣＤセルの表示画面を照明する照明サイズを切り換えることができる。
【０１２４】
請求項１２記載の発明によれば、凸面型リフレクタまたは凹面型リフレクタを確実に切り換えることができる。
【図面の簡単な説明】
【図１】本発明による車両用表示装置の実施の形態を示す概略構成図である。
【図２】図１の車両用表示装置による表示例を説明する外観図である。
【図３】（Ａ）および（Ｂ）は、それぞれ、昼用表示および夜用表示の例を示す図である。
【図４】図１の車両用表示装置における照明装置の第１の構成例を示す斜視図である。
【図５】図４の照明装置の一部を省略した斜視図である。
【図６】図４の照明装置の動作を説明する図である。
【図７】図４の照明装置の光源の他の例を示す図である。
【図８】（Ａ）および（Ｂ）は、それぞれ、図４の照明装置の他の構成例を示す図である。
【図９】図４の照明装置のさらなる変形例を示す斜視図である。
【図１０】図９の照明装置の一部を省略した斜視図である。
【図１１】図９の照明装置の動作を説明する図である。
【図１２】図９の照明装置の光源の他の例を示す図である。
【図１３】図９の照明装置の導光板の他の例を示す図である。
【図１４】図１の車両用表示装置における照明装置の第２の構成例を示す図である。
【図１５】図１４の照明装置における光源とリフレクタの位置関係を示す図である。
【図１６】（Ａ）および（Ｂ）は、それぞれ、図１４の照明装置の斜視図である。
【図１７】（Ａ）および（Ｂ）は、それぞれ、図１４の照明装置の動作を説明する図である。
【図１８】（Ａ）および（Ｂ）は、それぞれ、図１の車両用表示装置における照明装置の第３の構成例を示す図である。
【図１９】図１８の照明装置における光源とリフレクタの位置関係を示す図である。
【図２０】（Ａ）および（Ｂ）は、それぞれ、図１８の照明装置の斜視図である。
【図２１】（Ａ）、（Ｂ）および（Ｃ）は、それぞれ、図１の車両用表示装置における照明装置の第４の構成例を示す図である。
【図２２】（Ａ）および（Ｂ）は、それぞれ、図２１の照明装置の斜視図である。
【図２３】（Ａ）および（Ｂ）は、それぞれ、図２１の照明装置の他の構成例を示す図である。
【図２４】図２３の照明装置の概略斜視図である。
【図２５】図２４の照明装置におけるレンズの脱着を説明する概略斜視図である。
【図２６】（Ａ）および（Ｂ）は、それぞれ、図１の車両用表示装置における照明装置の第５の構成例を示す図である。
【図２７】（Ａ）および（Ｂ）は、それぞれ、図２６の照明装置の概略斜視図である。
【図２８】従来の車両用表示装置の外観図である。
【図２９】従来の車両用表示装置の全体構成図である。
【図３０】（Ａ）および（Ｂ）は、それぞれ、従来の車両用表示装置の表示例を示す図である。
【符号の説明】
２      ウインドシールド（被投影部材）
３      ＬＣＤセル
４      ＬＣＤ駆動回路（表示画面サイズ変更手段の一部）
４ａ    表示画面サイズ変更スイッチ（表示画面サイズ変更手段の一部）
２０    照明装置
２０ａ  照明サイズ変更スイッチ（照明サイズ変更手段の一部）
【図１】
0004057839.tif 000002
【図２】
0004057839.tif 000003
【図３】
0004057839.tif 000004
【図４】
0004057839.tif 000005
【図５】
0004057839.tif 000006
【図６】
0004057839.tif 000007
【図７】
0004057839.tif 000008
【図８】
0004057839.tif 000009
【図９】
0004057839.tif 000010
【図１０】
0004057839.tif 000011
【図１１】
0004057839.tif 000012
【図１２】
0004057839.tif 000013
【図１３】
0004057839.tif 000014
【図１４】
0004057839.tif 000015
【図１５】
0004057839.tif 000016
【図１６】
0004057839.tif 000017
【図１７】
0004057839.tif 000018
【図１８】
0004057839.tif 000019
【図１９】
0004057839.tif 000020
【図２０】
0004057839.tif 000021
【図２１】
0004057839.tif 000022
【図２２】
0004057839.tif 000023
【図２３】
0004057839.tif 000024
【図２４】
0004057839.tif 000025
【図２５】
0004057839.tif 000026
【図２６】
0004057839.tif 000027
【図２７】
0004057839.tif 000028
【図２８】
0004057839.tif 000029
【図２９】
0004057839.tif 000030
【図３０】
0004057839.tif 000031